(57)【要約】【課題】着用時に袖口部におけるフィツト感があり、動作中にズレて打つ・投げる・走る・捕球する等の動作の妨げにならないような前胸部保護具を提供することを目的とする。【解決手段】その一側に袖口部の前身頃２を有する前胸部見頃１と、その下端部10を斜め上向きに裁断した伸縮性材質で構成される袖口部の後身頃３と、伸縮性材質で構成された胴巻き部４とからなり、袖口部の前身頃２と後身頃３は上端部５，８を接合すると共に、後身頃３は半捻りさせて下端部10を袖口部前身頃の側部７に接合させ、胴巻き部４は前胸部見頃１の他側に連接し、更にその一側部と袖口部の後身頃乃至前身頃の一側部との間には互いに接合可能な一対のファスナー12,12を設け、一方前胸部見頃１の表面には伸縮性材質で構成されたポケット13を設け、ポケット13内に緩衝材14を挿着した前胸部保護具。【選択図】図１
2007107111.tif 000002
【特許請求の範囲】
【請求項１】
その一側に袖口部の前身頃を有する前胸部見頃と、その下端部を斜め上向きに裁断した伸縮性材質で構成される袖口部の後身頃と、伸縮性材質で構成された胴巻き部とからなり、袖口部の前身頃と後身頃はその上端部を接合すると共に、後身頃は半捻りさせてその下端部を袖口部の側部に接合させ、上記胴巻き部は前胸部見頃の他側に連接し、更にその一側部と袖口部の後身頃乃至前身頃の一側部との間には互いに接合可能な一対のファスナーを設け、一方上記前胸部見頃の表面又は裏面には緩衝材を取り付けたことを特徴とする前胸部保護具。
【請求項２】
前胸部見頃の表面又は裏面に伸縮性材質で構成されるポケットを設け、該ポケット内に緩衝材を挿着した請求項１記載の前胸部保護具。
【請求項３】
緩衝材が設置された前胸部見頃の表面又は裏面に伸縮性材質で構成されるカバーを被せて緩衝材を取り付けるようにした請求項１記載の前胸部保護具。
【請求項４】
前胸部見頃の表面又は裏面と緩衝材に互いに接合可能なファスナーを設け、緩衝材を該ファスナーにより着脱可能に取り付けるようにした請求項１記載の前胸部保護具。
【発明の詳細な説明】
【技術分野】
【０００１】
この発明は、例えば心臓震盪を防止するための前胸部保護具に関するものである。
【背景技術】
【０００２】
心臓震盪は心臓の近くに受けた衝撃で心臓が不規則に震えて心室細動を起こす状態であって、これにより血液が送り出せなくなり、衝撃を受けてから数秒で倒れて死亡する例もある。
【０００３】
心臓震盪は骨格が未発達な小中学生が野球のボールやバットを胸に当てることにより生ずることが多いとされる。
【０００４】
一方、野球用胸部プロテクターとして、前身頃の胸部領域に緩衝体を設けるようにしたアンダーシャツ（実開昭60-16705号公報）、プロテクター基面に複数のパットが施され、該プロテクター基面と該緩衝パットによって形成される凹状溝部を有するプロテクター（特開2002-177435)、プロテクター本体の上部側に吊りバンド、プロテクター本体の下部側には、止めバンド、吊りバンドの中間部分と止めバンドの中間部分とを繋ぐ縦向き姿勢の連結バンドを着脱自在に設けたスポーツ用胸プロテクター（特開2000-176072）、保護用のプレートが胸部中央にくるように着用される胸部プロテクタ（実開平6-23569号公報）等が提案されている。
【特許文献１】実開昭60-16705号公報、特開2002-177435、特開2000-176072、実開平6-23569号公報
【発明の開示】
【発明が解決しようとする課題】
【０００５】
実開昭60-16705号公報に開示される野球用アンダーシャツについては種類が長袖、半袖、８分袖などに加え、形状がハイネック、ローネック、Ｖ字ネックタイプがあり、色も白、黒、青、赤、紺など多岐に亘り、その全てに緩衝材を取り付けなければならず生産性が悪い。
【０００６】
特開2002-177435、特開2000-176072に開示されているプロテクターはキャッチャーのプロテクターを目的とするため、ユニフォームの中に装着すると打つ・投げる・走る・補強するなどの動作の妨げになり、更に前合わせ式のため前胸部に緩衝材を取り付けることが困難である。
【０００７】
実開平6-23569号公報に開示されている胸部プロテクタは調整バンドによる胸部保護プレートの位置決めが難しく、またワンタッチ式でないために着脱が容易に行われず、更にユニフォームの上着が着用できない等の欠点がある。
【０００８】
一方、その表面又は裏面に緩衝材を固定した前胸部見頃の両側に前身頃と後身頃からなる袖口部を有する前胸部保護具も考えられるが、この保護具においては着用した場合袖口部におけるフィツト感が無く、したがって動作中にズレて打つ・投げる・走る・捕球する等の動作を妨げになることがある。
【０００９】
更に、袖口部におけるフィット感を生じさせるために、前胸部見頃の両側における袖口部の後身頃間を係留バンドで結合すると、着用が困難になる等の欠点がある。
【００１０】
そこで、この発明は、弾性力のある係留バンドを使用しなくても、着用時に袖口部におけるフィツト感があり、動作中にズレて打つ・投げる・走る・捕球する等の動作の妨げにならないような前胸部保護具を提供することを目的とする。
【課題を解決するための手段】
【００１１】
この発明は上記実情に鑑み、その一側に袖口部の前身頃を有する前胸部見頃と、その下端部を斜め上向きに裁断した伸縮性材質で構成される袖口部の後身頃と、伸縮性材質で構成された胴巻き部とからなり、袖口部の前身頃と後身頃はその上端部を接合すると共に、後身頃は半捻りさせてその下端部を袖口部の側部に接合させ、上記胴巻き部は前胸部見頃の他側に連接し、更にその一側部と袖口部の後身頃乃至前身頃の一側部との間には互いに接合可能な一対のファスナーを設け、一方上記前胸部見頃の表面又は裏面には緩衝材を取り付けた前胸部保護具を提案するものである。
【００１２】
この発明に係わる前胸部保護具は袖口部に片腕を通した後、胴巻き部を周回させ、その一側部に設けられた一対のファスナーを袖口部の後身頃乃至前身頃の一側部の一側部に設けた他の一対のファスナーに接合することにより着用するものである。
【００１３】
この発明では袖口部の後身頃を半捻りさせてその下端部を袖口部の前身頃の側部に接合させてあるため、着用時には引張力が袖口部の前身頃と後身頃の全面に均等に働き、袖口部において十分なフィット感が得られ、このため袖口部がズレにくく、打つ・投げる・走る・捕球する動作の妨げとはならないのである。
【００１４】
また、この発明では袖口部に片腕を通した後、胴巻き部を周回させ、胴巻き部と袖口部の後身頃乃至前身頃の一側部に設けた一対のファスナーに接合することによりワンタッチ式で容易に着用でき、直接肌の上からでもアンダーシャツの上からでも装着できる。
【００１５】
更に、着用時の引張力は前胸部見頃の全面に均等に働くため、これに固定された緩衝材にボールが当たっても、その衝撃を分散させることができる。
【００１６】
なお、緩衝材を前胸部見頃の表面又は裏面に取り付ける手段としては、前胸部見頃の表面又は裏面に伸縮性材質で構成されるポケットを設け、該ポケット内に緩衝材を挿着してもよく、その他に前胸部見頃の表面又は裏面に緩衝材を設置した後、伸縮性材質で構成されるカバーで被って緩衝材を取り付けるようにしてもよく、更に前胸部見頃の表面又は裏面と緩衝材表面に互いに接合可能なファスナーを設け、緩衝材を該ファスナーにより着脱可能に取り付けるようにしてもよい。
【発明の効果】
【００１７】
この発明では、袖口部において十分なフィット感が得られ、このため袖口部がズレにくく、打つ・投げる・走る・捕球する動作の妨げとはならず、またこの発明ではワンタッチ式で容易に着脱できるため、直接肌の上からでもアンダーシャツの上からでも装着できる。
【発明を実施するための最良の形態】
【００１８】
その一側に袖口部の前身頃を有する前胸部見頃と、その下端部を斜め上向きに裁断した伸縮性材質で構成される袖口部の後身頃と、伸縮性材質で構成された胴巻き部とからなり、袖口部の前身頃と後身頃はその上端部を接合すると共に、後身頃は半捻りさせてその下端部を袖口部の側部に接合させ、上記胴巻き部は前胸部見頃の他側に連接し、更にその一側部と袖口部の後身頃乃至前身頃の一側部との間には互いに接合可能な一対のファスナーを設け、一方上記前胸部見頃の表面には伸縮性材質で構成されるポケットを設け、該ポケット内には緩衝材を挿着した前胸部保護具
【実施例１】
【００１９】
以下、この発明を図示の実施例に基づいて詳細に説明すると、１はその一側に袖口部の前身頃２を有する前胸部見頃、３は伸縮性材質で構成される袖口部の後身頃、４は伸縮性材質で構成された胴巻き部である。
【００２０】
袖口部の前身頃２は上端部５、袖口端部６、側部７を有し、袖口部の後身頃３は上端部８、袖口端部９、更に斜め上向きに裁断された下端部10を有し、前身頃２と後身頃３は上端部５，８を接合し、更に後身頃３は半捻りさせて下端部10を前身頃２の側部７に接合させて袖口端部６と袖口端部９の間で袖口部11を形成する。
【００２１】
なお、図５に示すように、袖口端部９を深く抉る形状にして袖口部11を後方に拡げるようにしても良い。
【００２２】
また、胴巻き部４は前胸部見頃１の他側に連接し、更にその一側部と袖口部の後身頃乃至前身頃の一側部との間には互いに接合可能な一対のファスナー12,12を設ける。
【００２３】
一方、前胸部見頃１の表面には伸縮性材質で構成されるポケット13を設け、ポケット13内に緩衝材14を挿着する。
【００２４】
以上のような構成において、袖口部の後身頃３を半捻りさせて下端部10を袖口部の前身頃２の側部７に接合させてあるため、着用時には引張力が袖口部の前身頃２と後身頃３の全面に均等に働き、袖口部11において十分なフィット感が得られ、このため袖口部11がズレにくく、打つ・投げる・走る・捕球する動作の妨げとはならないのである。
【００２５】
また、この発明では袖口部11に片腕を通した後、胴巻き部４を周回させ、胴巻き部４と袖口部の後身頃３乃至前身頃２の一側部に設けた一対のファスナー12,12に接合することによりワンタッチ式で容易に着用でき、直接肌の上からでもアンダーシャツの上からでも装着できる。
【００２６】
更に、着用時の引張力は前胸部見頃１の全面に均等に働くため、これに固定された緩衝材15にボールが当たっても、その衝撃を分散させることができる。
【産業上の利用可能性】
【００２７】
以上要するに、この発明によれば袖口部において十分なフィット感が得られ、このため袖口部がズレにくく、打つ・投げる・走る・捕球する動作の妨げとはならず、また着脱を容易に行うことができ、このため直接肌の上からでもアンダーシャツの上からでも装着できる前胸部保護具を提供できる。
【図面の簡単な説明】
【００２８】
【図１】この発明の一実施例を示す正面図
【図２】同上の実施例において一部を分解した正面図
【図３】同上の実施例における背面図
【図４】この発明に係わる前胸部保護具の着用手順を示す図
【図５】この発明の他の実施例を示す正面図
【符号の説明】
【００２９】
１は前胸部見頃
２は袖口部の前身頃
３は袖口部の後身頃
４は胴巻き部
５は袖口部前身頃の上端部
６は袖口部前身頃の袖口端部
７は袖口部前身頃の側部
８は袖口部後身頃の上端部
９は袖口部後身頃の袖口端部
10は袖口部後身頃の下端部
11は袖口部
12,12は一対のファスナー
13はポケット
14は緩衝材
【図１】
2007107111.tif 000003
【図２】
2007107111.tif 000004
【図３】
2007107111.tif 000005
【図４】
2007107111.tif 000006
【図５】
2007107111.tif 000007